【手続補正書】
【提出日】平成27年9月8日(2015.9.8)
【手続補正１】
【補正対象書類名】明細書
【補正対象項目名】００１０
【補正方法】変更
【補正の内容】
【００１０】
【図１】第１の実施形態に係るパッチアンテナの斜視図である。
【図２】図１のパッチアンテナの放射素子を伸展した状態を示す平面図である。
【図３】図１のパッチアンテナの実装構造の一例を示す断面図である。
【図４】第２の実施形態に係るパッチアンテナの斜視図である。
【図５】第３の実施形態に係るパッチアンテナの斜視図である。
【図６】第４の実施形態に係るパッチアンテナの斜視図である。
【図７】第５の実施形態に係るパッチアンテナの斜視図である。
【図８】第６の実施形態に係るパッチアンテナの斜視図である。
【図９】図１のパッチアンテナを搭載した腕時計を示した図であり、図９（Ａ）は平面図であり、図９（Ｂ）は一部を切欠いた側面図である。
【図１０】放射素子の変形例を示す平面図である。
【手続補正２】
【補正対象書類名】明細書
【補正対象項目名】００１４
【補正方法】変更
【補正の内容】
【００１４】
また、放射素子１１１ａは誘電体１１２ａの上面に沿って一定の厚さサイズで形成されている。この放射素子１１１ａは、伸展した状態では、縦長の長方形となっている。ここで、「伸展」とは、平面となるように伸び拡げることを言う。この放射素子１１１ａの上面は、側面視で、誘電体１１２ａの上面に倣って、縦方向（奥行き方向）で所定角度屈曲された形状となっていて起伏部を有している。そして、この放射素子１１１ａは、平面視で、４つの辺のそれぞれが誘電体１１２ａの４つの辺のそれぞれと１対１で対向し、この対向する辺同士が互いに平行となるように誘電体１１２ａの上面に形成されている。この場合、特に限定はされないが、誘電体１１２ａの水平面１１２ａ−１に形成される素子部分１１１ａ−１と、誘電体１１２ａの傾斜面１１２ａ−２に形成される素子部分１１１ａ−２とは同じ面積となっている。そのため、平面視で、素子部分１１１ａ−１の縦サイズの方が、素子部分１１１ａ−２の縦サイズよりも大きくなっている。勿論、平面視で、素子部分１１１ａ−１の縦サイズと、素子部分１１１ａ−２の縦サイズとが同じとなるように放射素子１１１ａを形成してもよい。この場合には、素子部分１１１ａ−１の面積の方が、素子部分１１１ａ−２の面積よりも小さくなる。
【手続補正３】
【補正対象書類名】明細書
【補正対象項目名】００１７
【補正方法】変更
【補正の内容】
【００１７】
ここで、同軸ケーブル１２０ａと放射素子１１１ａとの電気的接続位置である給電位置１２３ａについて図２を用いて説明する。
図２は、図１のパッチアンテナ１１０ａの放射素子１１１ａを伸展した状態を示す図である。同図においては、説明の便宜上、放射素子１１０ａの中心Ｏを通る横線をＸ軸、放射素子１１０ａの中心Ｏを通る縦線をＹ軸としている。そして、Ｘ軸において、放射素子１１０ａの中心Ｏより右の部分をＸ（＋）、放射素子１１０ａの中心Ｏより左の部分をＸ（−）とし、Ｙ軸において、放射素子１１０ａの中心Ｏより上の部分をＹ（＋）、放射素子１１０ａの中心Ｏより下の部分をＹ（−）としている。
第１の実施形態のパッチアンテナ１１０ａの給電位置１２３ａは、インピーダンス整合が図れ且つ右旋偏波アンテナとして機能するように、放射素子１１１ａを伸展した状態で見た場合に、放射素子１１１ａの中心Ｏからオフセットされた位置で、Ｘ（−）且つＹ（−）となる領域に設けられている。具体的には、放射素子１１１ａの横方向の辺の共振周波数をｆ１、縦方向の辺の共振周波数をｆ２としたとき、受信周波数ｆ０（＝（ｆ１−ｆ２）／２））における位相差が９０°となり、さらに、インピーダンス整合が取れた状態となるように各辺の長さと給電位置とを調整している。この給電位置１２３ａは、放射素子１１１ａを伸展した状態で見た場合に、放射素子１１１ａの中心Ｏからオフセットされた位置で、Ｘ（＋）且つＹ（＋）となる領域に設けられていてもよい。
なお、ここでは、パッチアンテナ１１０ａを右旋偏波アンテナとして機能させる場合を述べたが、左旋偏波アンテナとして機能させる場合には、放射素子１１１ａを伸展した状態で見た場合に、放射素子１１１ａの中心Ｏからオフセットされた位置で、Ｘ（＋）且つＹ（−）となる領域又はＸ（−）且つＹ（＋）となる領域に設ければよい。
【手続補正４】
【補正対象書類名】明細書
【補正対象項目名】００２１
【補正方法】変更
【補正の内容】
【００２１】
また、放射素子１１１ｂは誘電体１１２ｂの上面に沿って形成されている。この放射素子１１１ｂは、伸展した状態では、縦長の長方形となっている。そして、放射素子１１１ｂの上面は、後部側では前方に向けて上向き傾斜を有する素子部分１１１ｂ−１となっており、前部側では前方に向けて下向き傾斜を有する素子部分１１１ｂ−２となっている。換言すれば、放射素子１１１ｂの上面は、側面視で、誘電体１１２ｂの上面に倣って、後部側の素子部分１１１ｂ−１と前部側の素子部分１１１ｂ−２とが山形に屈曲された形状となって起伏部を有している。この場合、特に限定はされないが、素子部分１１１ｂ−１の面積と素子部分１１１ｂ−２の面積とは同じであっても、異なっていてもよい。
【手続補正５】
【補正対象書類名】明細書
【補正対象項目名】００２６
【補正方法】変更
【補正の内容】
【００２６】
また、放射素子１１１ｃは誘電体１１２ｃの上面に沿って形成されている。この放射素子１１１ｃは、伸展した状態では、縦長の長方形となっている。そして、この放射素子１１１ｃの上面は、誘電体１１２ｃの上面に倣って正弦波状に湾曲した形状となっていて周期的に起伏部を有している。
【手続補正６】
【補正対象書類名】明細書
【補正対象項目名】００３１
【補正方法】変更
【補正の内容】
【００３１】
また、放射素子１１１ｄは誘電体１１２ｄの上面に沿って形成されている。この放射素子１１１ｄは、伸展した状態では、縦長の長方形となっている。この放射素子１１１ｄは誘電体１１２ｄの上面に沿って形成されている。そして、放射素子１１１ｄの上面は、誘電体１１２ｄの上面に倣って三角波状に屈曲した形状となっていて周期的に起伏部を有している。
【手続補正７】
【補正対象書類名】明細書
【補正対象項目名】００３６
【補正方法】変更
【補正の内容】
【００３６】
また、放射素子１１１ｅは誘電体１１２ｅの上面に沿って形成されている。この放射素子１１１ｅは、伸展した状態では、縦長の長方形となっている。そして、放射素子１１１ｅの上面は、誘電体１１２ｅに倣って鋸歯状に屈曲した形状となっていて周期的に起伏部を有している。
【手続補正８】
【補正対象書類名】明細書
【補正対象項目名】００５０
【補正方法】変更
【補正の内容】
【００５０】
また、上記実施形態では、放射素子１１１ａ〜１１１ｆを縦方向と横方向での２共振状態としたが、このうち、放射素子１１１ａ〜１１１ｅの場合には、図１０に示すように、放射素子１１１ｇを伸展状態で正方形の対向する１組の角部を切欠いた形状として、対角方向での２共振状態としてもよい。この場合の給電位置１２３ｇは、円偏波アンテナとして動作させる場合、放射素子１１１ｇの中心Ｏに対して縦又は横方向に少しずれた位置となる。なお、放射素子１１１ｅの場合にも、対向する１組の角部を切欠いた形状とすればよいが、対角方向での電流経路長さを増加させるため、少なくとも対角方向での電流経路途中に屈曲部又は湾曲部が位置するように構成する必要がある。
なお、放射素子１１１ａ〜１１１ｅの場合には、伸展状態で正方形又は長方形として２点給電方式としてもよい。要は、円偏波のパッチアンテナとして構成することである。
【手続補正９】
【補正対象書類名】特許請求の範囲
【補正対象項目名】全文
【補正方法】変更
【補正の内容】
【特許請求の範囲】
【請求項１】
誘電体の上面に沿って設けられた放射素子、この放射素子に電気的に接続された給電部材、及び前記誘電体の下面に沿って設けられた接地導体を有し、円偏波アンテナとして動作するパッチアンテナにおいて、
放射素子の上面は、電流経路を上下方向に屈曲又は湾曲させる起伏部を有していることを特徴とするパッチアンテナ。
【請求項２】
前記誘電体は平面視で長方形であり、前記起伏部の稜線及び谷線は前記誘電体の長辺に平行となっていることを特徴とする請求項１に記載のパッチアンテナ。
【請求項３】
前記放射素子は伸展状態で長方形であり、前記放射素子の平面視上での長辺を上下方向に屈曲又は湾曲させるように前記起伏部が形成されていることを特徴とする請求項１又は２に記載のパッチアンテナ。
【請求項４】
前記放射素子は、伸展状態で、正方形の対向する１組の角部に切欠きを形成した形状となっていることを特徴とする請求項１又は２に記載のパッチアンテナ。
【請求項５】
前記放射素子の上面は、電流経路の向きに周期的に起伏部を有していることを特徴とする請求項１から４のいずれか一項に記載のパッチアンテナ。
【請求項６】
請求項１から５のいずれか一項に記載のパッチアンテナを備えたことを特徴とする無線通信機器。